(57)【要約】【課題】  送信すべき情報に基づく電界を電界伝達媒体に誘起させるとともに電界伝達媒体に誘起された電界を検出して情報の送受信を行うトランシーバを利用して各利用者が有する情報をお互いに交換する場合において、セキュリティが十分に確保される情報交換方法および情報交換システムを提供する。【解決手段】  情報交換システム１００は、利用者が携行する利用者端末１０と、利用者が所持するカード２０を具備する構成となっている。そして、利用者端末１０は、コンピュータ１および該コンピュータと接続されたトランシーバ９ａを備え、また、カード２０は、コンピュータ３およびトランシーバ９ｚを備えており、利用者端末１０とカード２０は、利用者の生体を介したトランシーバ９ａおよび９ｚ間の通信により、情報のやりとりができるようになっている。【選択図】      図１
2005159528.tif 000002
【特許請求の範囲】
【請求項１】
送信すべき情報に基づく電界を電界伝達媒体に誘起させるとともにこの誘起した電界を検出して情報の送受信を行うトランシーバ間の通信を利用して、複数の利用者が備えるそれぞれの情報をお互いに交換する情報交換方法であって、
送信すべき情報を鍵を用いて暗号化する第１のコンピュータと該第１のコンピュータと接続されている第１の前記トランシーバとを備えており、前記利用者それぞれが携行する利用者端末と、第２のコンピュータと該第２のコンピュータと接続されている第２の前記トランシーバとを備えており、前記利用者それぞれが所持するカードと、を有する情報交換システムが、
前記利用者の第１のトランシーバと第２のトランシーバが前記利用者の生体を介して通信可能である場合には、前記第１のコンピュータが前記鍵を前記第２のコンピュータに送信するステップと、
前記利用者が他の利用者と前記カードをお互いに交換して、前記他の利用者の前記カードを受け取って、前記他の利用者の前記第２のトランシーバが、前記他の利用者の前記第１のトランシーバと通信が途絶えたときには、前記利用者の前記第１のコンピュータが、前記利用者の生体を介したトランシーバ間の通信により、前記他の利用者の前記第２のコンピュータが有する前記鍵を受信するステップと、
前記利用者の前記第１のコンピュータは、前記他の利用者が有する前記鍵を受信すると、暗号化された送信すべき情報を、前記利用者の生体を介したトランシーバ間の通信により、前記他の利用者の前記第２のコンピュータに送信するステップと、
前記利用者が前記他の利用者と交換した前記カードをさらにお互いに交換して、自己の前記カードを受け取って、前記利用者の前記第１のトランシーバおよび前記第２のトランシーバの通信が可能な状態になると、前記利用者の前記第１のコンピュータは、前記利用者の生体を介したトランシーバ間の通信により、前記利用者の前記第２のコンピュータから前記他の利用者の暗号化された送信すべき情報を受信するとともに、この暗号化された送信すべき情報を前記他の利用者の前記鍵を用いて復号するステップと、
を有することを特徴とする情報交換方法。
【請求項２】
送信すべき情報に基づく電界を電界伝達媒体に誘起させるとともにこの誘起した電界を検出して情報の送受信を行うトランシーバ間の通信を利用して、複数の利用者が備えるそれぞれの情報をお互いに交換する情報交換システムであって、
送信すべき情報を鍵を用いて暗号化する第１のコンピュータと、前記第１のコンピュータと接続されている第１の前記トランシーバと、を備えており、前記利用者それぞれが携行する利用者端末と、
第２の前記トランシーバと、該第２の前記トランシーバと接続されている第２のコンピュータと、を備えており、前記利用者それぞれが所持するカードと、
前記利用者の第１のトランシーバと第２のトランシーバが前記利用者の生体を介して通信可能である場合には、前記第１のコンピュータが前記鍵を前記第２のコンピュータに送信する手段と、
前記利用者が他の利用者と前記カードをお互いに交換して、前記他の利用者の前記カードを受け取って、前記他の利用者の前記第２のトランシーバが、前記他の利用者の前記第１のトランシーバと通信が途絶えたときには、前記利用者の前記第１のコンピュータが、前記利用者の生体を介したトランシーバ間の通信により、前記他の利用者の前記第２のコンピュータが有する前記鍵を受信する手段と、
前記利用者の前記第１のコンピュータは、前記他の利用者が有する前記鍵を受信すると、暗号化された送信すべき情報を、前記利用者の生体を介したトランシーバ間の通信により、前記他の利用者の前記第２のコンピュータに送信する手段と、
前記利用者が前記他の利用者と交換した前記カードをさらにお互いに交換して、自己の前記カードを受け取って、前記利用者の前記第１のトランシーバおよび前記第２のトランシーバの通信が可能な状態になると、前記利用者の前記第１のコンピュータは、前記利用者の生体を介したトランシーバ間の通信により、前記利用者の前記第２のコンピュータから前記他の利用者の暗号化された送信すべき情報を受信するとともに、この暗号化された送信すべき情報を前記他の利用者の前記鍵を用いて復号する手段と、
を有することを特徴とする情報交換システム。
【発明の詳細な説明】
【技術分野】
【０００１】
本発明は、情報交換方法および情報交換システムに関し、特に、送信すべき情報に基づく電界を電界伝達媒体に誘起させるとともに電界伝達媒体に誘起された電界を検出して情報の送受信を行うトランシーバを利用した情報交換方法および情報交換システムに関する。
【背景技術】
【０００２】
携帯端末の小型化および高性能化によりウェアラブルコンピュータが注目されているが、図６（ａ）はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行うようになっている。また、図６（ｂ）はこのようなウェアラブルコンピュータ７を装着した２人の人間が握手をすることによって、データの送受信を行う例を示している。
【０００３】
そして、このようなウェアラブルコンピュータ７間、およびウェアラブルコンピュータ７とＰＣ８とのデータ通信に使用されるトランシーバ９は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行っている。
【０００４】
尚、この出願に関連する先行技術文献情報としては、次のものがある。
【特許文献１】特開２００１−３５２２９８公報
【発明の開示】
【発明が解決しようとする課題】
【０００５】
上述したように、ウェアラブルコンピュータ７およびトランシーバ９を用いた生体通信を利用すれば、複数の人との間で様々な個人情報を交換することが可能であるが、セキュリティが万全でないという問題がある。
【０００６】
例えば、握手するだけでお互いの個人情報を交換する生体通信においては、明示的な操作意思がなくても、生体に触れるだけで通信が成立してしまうので、利用者が不用意に個人情報を第三者に漏らしてしまうことが考えられる。
【０００７】
本発明は、上記の事情を鑑みたものであり、送信すべき情報に基づく電界を電界伝達媒体に誘起させるとともに電界伝達媒体に誘起された電界を検出して情報の送受信を行うトランシーバを利用して複数の利用者が有する情報をお互いに交換する場合においても、セキュリティが十分に確保される情報交換方法および情報交換システムを提供することを目的とする。
【課題を解決するための手段】
【０００８】
上記目的を達成するため、請求項１記載の本発明は、送信すべき情報に基づく電界を電界伝達媒体に誘起させるとともにこの誘起した電界を検出して情報の送受信を行うトランシーバ間の通信を利用して、複数の利用者が備えるそれぞれの情報をお互いに交換する情報交換方法であって、送信すべき情報を鍵を用いて暗号化する第１のコンピュータと該第１のコンピュータと接続されている第１の前記トランシーバとを備えており、前記利用者それぞれが携行する利用者端末と、第２のコンピュータと該第２のコンピュータと接続されている第２の前記トランシーバとを備えており、前記利用者それぞれが所持するカードと、を有する情報交換システムが、前記利用者の第１のトランシーバと第２のトランシーバが前記利用者の生体を介して通信可能である場合には、前記第１のコンピュータが前記鍵を前記第２のコンピュータに送信するステップと、前記利用者が他の利用者と前記カードをお互いに交換して、前記他の利用者の前記カードを受け取って、前記他の利用者の前記第２のトランシーバが、前記他の利用者の前記第１のトランシーバと通信が途絶えたときには、前記利用者の前記第１のコンピュータが、前記利用者の生体を介したトランシーバ間の通信により、前記他の利用者の前記第２のコンピュータが有する前記鍵を受信するステップと、前記利用者の前記第１のコンピュータは、前記他の利用者が有する前記鍵を受信すると、暗号化された送信すべき情報を、前記利用者の生体を介したトランシーバ間の通信により、前記他の利用者の前記第２のコンピュータに送信するステップと、前記利用者が前記他の利用者と交換した前記カードをさらにお互いに交換して、自己の前記カードを受け取って、前記利用者の前記第１のトランシーバおよび前記第２のトランシーバの通信が可能な状態になると、前記利用者の前記第１のコンピュータは、前記利用者の生体を介したトランシーバ間の通信により、前記利用者の前記第２のコンピュータから前記他の利用者の暗号化された送信すべき情報を受信するとともに、この暗号化された送信すべき情報を前記他の利用者の前記鍵を用いて復号するステップと、を有することを要旨とする。
【０００９】
請求項２記載の本発明は、送信すべき情報に基づく電界を電界伝達媒体に誘起させるとともにこの誘起した電界を検出して情報の送受信を行うトランシーバ間の通信を利用して、複数の利用者が備えるそれぞれの情報をお互いに交換する情報交換システムであって、送信すべき情報を鍵を用いて暗号化する第１のコンピュータと、前記第１のコンピュータと接続されている第１の前記トランシーバと、を備えており、前記利用者それぞれが携行する利用者端末と、第２の前記トランシーバと、該第２の前記トランシーバと接続されている第２のコンピュータと、を備えており、前記利用者それぞれが所持するカードと、前記利用者の第１のトランシーバと第２のトランシーバが前記利用者の生体を介して通信可能である場合には、前記第１のコンピュータが前記鍵を前記第２のコンピュータに送信する手段と、前記利用者が他の利用者と前記カードをお互いに交換して、前記他の利用者の前記カードを受け取って、前記他の利用者の前記第２のトランシーバが、前記他の利用者の前記第１のトランシーバと通信が途絶えたときには、前記利用者の前記第１のコンピュータが、前記利用者の生体を介したトランシーバ間の通信により、前記他の利用者の前記第２のコンピュータが有する前記鍵を受信する手段と、前記利用者の前記第１のコンピュータは、前記他の利用者が有する前記鍵を受信すると、暗号化された送信すべき情報を、前記利用者の生体を介したトランシーバ間の通信により、前記他の利用者の前記第２のコンピュータに送信する手段と、前記利用者が前記他の利用者と交換した前記カードをさらにお互いに交換して、自己の前記カードを受け取って、前記利用者の前記第１のトランシーバおよび前記第２のトランシーバの通信が可能な状態になると、前記利用者の前記第１のコンピュータは、前記利用者の生体を介したトランシーバ間の通信により、前記利用者の前記第２のコンピュータから前記他の利用者の暗号化された送信すべき情報を受信するとともに、この暗号化された送信すべき情報を前記他の利用者の前記鍵を用いて復号する手段と、を有することを要旨とする。
【発明の効果】
【００１０】
本発明によれば、送信すべき情報に基づく電界を電界伝達媒体に誘起させるとともに電界伝達媒体に誘起された電界を検出して情報の送受信を行うトランシーバを利用して複数の利用者が有する情報をお互いに交換する場合において、セキュリティが十分に確保される情報交換方法および情報交換システムを提供することができる。
【発明を実施するための最良の形態】
【００１１】
以下、本発明の実施の形態を図面を用いて説明する。
【００１２】
図１は、本発明の実施の形態に係る情報交換システム１００の概略構成図である。図１に示す情報交換システム１００は、利用者が携行する利用者端末１０と、利用者が所持するカード２０を具備する構成となっている。そして、さらに詳しくは、利用者端末１０は、コンピュータ１および該コンピュータ１と接続されているトランシーバ９ａを備え、また、カード２０は、コンピュータ３および該コンピュータ３と接続されているトランシーバ９ｚを備えており、利用者端末１０とカード２０は、利用者の生体を介したトランシーバ９ａおよび９ｚ間の通信により、情報のやりとりができるようになっている。
【００１３】
ここで、トランシーバ９ａ及び９ｚは、詳しくは、図２（トランシーバ９ａ及び９ｚの構成及び機能は同一であるため、トランシーバ９として記述）に示すように、コンピュータ（本実施の形態においては、コンピュータ１および３）からの送信データを入出力（Ｉ／Ｏ）回路９０１を介して受け取ると、この送信データを送信部９０２を介して送受信電極９０３に供給し、該送受信電極９０３および絶縁膜９０４を介して電界伝達媒体（本実施の形態においては、利用者）に電界を誘起させ、この電界を電界伝達媒体の他の部位に伝達させるようになっている。また、電界伝達媒体に誘起されて伝達されてくる電界を絶縁膜９０４を介して送受信電極９０３で検出し、この電界を電界検出光学部９０５に結合して電気信号に変換するようになっている。そして、この電気信号は、信号処理回路９０６で増幅、雑音除去などの信号処理を施され、更に波形整形回路９０７で波形整形されてから、入出力（Ｉ／Ｏ）回路９０１を介してコンピュータ（本実施の形態においては、コンピュータ１および３）に出力されるようになっている。
【００１４】
次に、本実施の形態に係る情報交換システム１００の動作を図３乃至図５を用いて説明する。ここで、図３は、情報交換システム１００を備える２人の利用者がそれぞれのカード２０を交換する場合の各状態を説明する図であり、図４および５は、情報交換システム１００を備える２人の利用者がそれぞれのカード２０を交換する場合の動作を説明するシーケンス図である。
【００１５】
まず、利用者Ａおよび利用者Ｂが、それぞれ離れている状態においては（図３（ａ）参照）、利用者Ａは、利用者端末１０Ａとカード２０Ａ、利用者Ｂは、利用者端末１０Ｂとカード１０Ｂをそれぞれ備えている。ここで、利用者端末１０Ａは、コンピュータ１Ａ上に、送信すべき情報（交換情報）１５Ａを記憶しており、また、生成した暗号鍵１６Ａに基づいてこの交換情報１５Ａを暗号化し、暗号化された交換情報１７Ａおよび暗号に用いた鍵１６Ａも記憶している（ステップＳ１０，Ｓ２０，Ｓ３０）。ここで、本実施の形態における暗号方式は、共通鍵暗号方式を採用しており、暗号化および復号化には同一の鍵を用いるようになっている。尚、以上の動作は、利用者Ｂについても同様であるので、利用者Ｂに関する説明は省略する（ステップＳ１０’，Ｓ２０’，Ｓ３０’）。また、以後の説明においては、利用者Ａと利用者Ｂにおける動作は同じであるので、利用者Ａに着目してその動作を説明する。
【００１６】
次に、利用者Ａが、カード２０Ａを手に持っているように、トランシーバ９ａＡと９ｚＡ間の生体通信が可能である場合には、利用者端末１０Ａが有する鍵１６Ａをカード２０Ａに送信する（ステップＳ４０，Ｓ５０）。これにより、カード２０Ａのコンピュータ３Ａは鍵１６Ａを受信し、記憶する（ステップＳ６０）。
【００１７】
次に、利用者Ａおよび利用者Ｂがそれぞれのカードを渡し合う状態（図３（ｂ）参照）について説明する。この状態においては、お互いのカードは交換中であり、カード２０Ａおよび２０Ｂは、ともに利用者Ａおよび利用者Ｂと触れている状態である。
【００１８】
次に、互いのカードを受け取った状態（図３（ｃ）参照）においては、利用者Ａは、カード２０Ｂを有しており、また、利用者Ｂは、カード２０Ａを有している。このような状態では、カード２０Ｂのトランシーバ９ｚＢは、利用者端末１０Ｂのトランシーバ９ａＢと通信路が切断されるので、これを契機に、カード２０Ｂは、カード２０Ｂが記憶している鍵１６Ｂを、利用者Ａの生体を介した通信により、利用者端末１０Ａに送信する（ステップＳ７０，Ｓ８０）。これにより、利用者端末１０Ａのコンピュータ１Ａは鍵１６Ｂを受信し、記憶する（ステップＳ９０）。
【００１９】
利用者端末１０Ａのコンピュータ１Ａは、鍵１６Ｂを受信すると、代わりに交換情報１７Ａを、利用者Ａの生体を介した通信により、カード２０Ｂに送信する（ステップＳ１００）。これにより、カード２０Ｂのコンピュータ３Ｂは、交換情報１７Ａを受信し、記憶する（ステップＳ１１０）。
【００２０】
次に、利用者Ａおよび利用者Ｂがそれぞれのカードを戻し合う状態（図３（ｄ）参照）について説明する。この状態においては、お互いのカードは交換中であり、カード２０Ａおよび２０Ｂは、ともに利用者Ａおよび利用者Ｂと触れている状態である。
【００２１】
次に、自分のカードが戻った状態（図３（ｅ）参照）においては、利用者Ａは、カード２０Ａを有しており、また、利用者Ｂは、カード２０Ｂを有している。このような状態では、カード２０Ａのトランシーバ９ｚＡは、再び利用者端末１０Ａのトランシーバ９ａＡと通信可能となるので、これを契機に、カード２０Ａは、カード２０Ａが記憶している交換情報１７Ｂ（ステップＳ１１０’で取得）を、利用者Ａの生体を介した通信により、利用者端末１０Ａに送信する（ステップＳ１２０，Ｓ１３０）。これにより、利用者端末１０Ａのコンピュータ１Ａは、交換情報１７Ｂを受信するので、既に取得した鍵１６Ｂで交換情報１７Ｂを復号し、利用者Ｂが有する交換情報１５Ｂを取得する（ステップＳ１４０，Ｓ１５０）。同様にして、利用者Ｂも利用者Ａが有する交換情報１５Ａを取得する（ステップＳ１５０’）
従って、本実施の形態によれば、送信すべき情報に基づく電界を電界伝達媒体に誘起させるとともに電界伝達媒体に誘起された電界を検出して情報の送受信を行うトランシーバを利用した情報交換システムにおいて、利用者端末およびカードを有する各利用者が、お互いに交換したカードをさらに戻し合うことにより、セキュリティを十分に確保しつつ各自が有する情報を交換することができるという効果を得ることができる。
【００２２】
以上、本発明の実施の形態について説明してきたが、本発明の要旨を逸脱しない範囲において、本発明の実施の形態に対して種々の変形や変更を施すことができる。例えば、本実施の形態においては、カード２０にまず、鍵１６を送信し（ステップＳ５０，Ｓ５０’）、次に交換情報１７を送信する（ステップＳ１００，Ｓ１００’）ようにしていたが、この逆の動作、即ち、まず交換情報１７を送信し、次に鍵１６を送信するようにしてもよい。
【００２３】
また、本実施の形態においては、利用者がお互いに交換するものとしてカードを用いたが、本発明はカードに限定されるわけではなく、本実施の形態のカードの機能を有する有体物であれば、何であってもよい。
【図面の簡単な説明】
【００２４】
【図１】本発明の実施の形態に係る情報交換システムの概略構成図である。
【図２】本発明の実施の形態に係るトランシーバの回路構成を示すブロック図である。
【図３】本発明の実施の形態に係る情報交換システムを備える２人の利用者がそれぞれのカードを交換する場合の各状態を説明する図である。
【図４】本発明の実施の形態に係る情報交換システムを備える２人の利用者がそれぞれのカードを交換する場合の動作を説明するシーケンス図である。
【図５】本発明の実施の形態に係る情報交換システムを備える２人の利用者がそれぞれのカードを交換する場合の動作を説明するシーケンス図である。
【図６】トランシーバを介してウェアラブルコンピュータを人間に装着して使用する場合の例を示す説明図である。
【符号の説明】
【００２５】
１，３，７ コンピュータ
８  ＰＣ、サーバ
９  トランシーバ
１０  利用者端末
２０  カード
９０１  Ｉ／Ｏ回路
９０２  送信部
９０３  送受信電極
９０４  絶縁膜
９０５  電界検出光学部
９０６  信号処理回路
９０７  波形整形回路
９１０  受信部
【図１】
2005159528.tif 000003
【図２】
2005159528.tif 000004
【図３】
2005159528.tif 000005
【図４】
2005159528.tif 000006
【図５】
2005159528.tif 000007
【図６】
2005159528.tif 000008